(57)【特許請求の範囲】
【請求項１】
映像メモリを介して天気予報番組の映像を提供する番組映像提供装置であって、以下の要素を有することを特徴とする番組映像提供装置
（１）緊急情報を含み得る気象情報を記憶する気象情報データベース
（２）気象情報データベースに記憶する気象情報中の緊急情報の存在を判定する緊急情報抽出部
（３）緊急情報を知らせる緊急画面について、当該画面の放映に適した標準時間、当該画面を短縮して放映する場合の条件となる最短時間、及び当該画面を省略することを想定するか否かを示す省略可否を記憶する緊急画面テーブル
（４）天気予報番組を構成する緊急画面以外の標準画面について、前記標準時間、前記最短時間、及び前記省略可否を記憶する標準番組構成情報記憶部
（５）存在すると判定した緊急情報に係る緊急画面及び標準画面のうち、省略を想定しない省略否である必須画面の標準時間の合計を算出し、
算出した標準時間の合計が当該天気予報番組の放送時間よりも短い場合には、前記必須画面を当該画面に少なくとも標準時間以上を配分する標準採用とし、前記緊急画面及び標準画面のうち省略を想定する省略可の任意画面が、その最短時間を前記標準時間の合計に加算した合計時間が前記放映時間よりも短い場合に、当該任意画面を当該画面に少なくとも最短時間以上を配分する短縮採用とし、
一方、前記算出した標準時間の合計が当該天気予報番組の放送時間よりも大きい場合には、前記必須画面を前記短縮採用とし、
標準採用とした画面については、標準時間を配分時間とし、短縮採用とした画面ついては、最短時間と標準時間の間で、標準採用の画面と短縮採用の画面の配分時間の合計が放送時間と等しくなる配分時間を算出する番組編成部
（６）標準採用の画面と短縮採用の画面について、順次各画面に関する気象情報を気象情報データベースから取得し、当該気象情報を所定の表示形式で放映メモリに展開する画面展開処理を行ない、前の画面を画面展開処理してから当該画面の配分時間経過後に、次の画面の画面展開処理に移行するように制御する番組映像生成部。
【請求項２】
番組映像提供装置は、通信網を介して気象情報配信サーバに接続し、気象情報配信サーバから受信した気象情報を気象情報データベースに登録する気象情報収集部を有することを特徴とする請求項１記載の番組映像提供装置。
【請求項３】
緊急画面テーブルは、前記緊急画面について、更に画面展開処理の前後関係を示す表示順位を記憶し、
標準番組構成情報記憶部は、前記標準画面について、更に前記表示順位を記憶し、
番組編成部は、標準採用の画面と短縮採用の画面を、それぞれの表示順位に従って順序付けし、
番組映像生成部は、当該順序付けに従って、画面展開処理を行なうことを特徴とする請求項１記載の番組映像提供装置。
【請求項４】
番組映像提供装置は、番組放送の準備開始時刻に至ったか判定する番組放送準備開始判定部と、
番組の放送開始時刻に至ったか判定する番組放送開始判定部を有し、
緊急情報抽出部は、番組放送の準備開始時刻に至った時点で、気象情報中の緊急情報の存在を判定し、
番組編成部は、緊急情報抽出部の判定に従って、前記採用の判定と時間配分の処理を行い、
番組映像生成部は、番組の放送開始時刻に至った時点で、前記画面展開処理を開始することを特徴とする請求項１記載の番組映像提供装置。
【請求項５】
緊急情報を含み得る気象情報を記憶する気象情報データベースと、
緊急情報を知らせる緊急画面について、当該画面の放映に適した標準時間、当該画面を短縮して放映する場合の条件となる最短時間、当該画面を省略することを想定するか否かを示す省略可否を記憶する緊急画面テーブルと、
天気予報番組を構成する緊急画面以外の標準画面について、前記標準時間、前記最短時間、前記省略可否を記憶する標準番組構成情報記憶部を有し、映像メモリを介して天気予報番組の映像を提供する番組映像提供装置となるコンピュータに、以下の手順を実行させるためのプログラム
（１）気象情報データベースに記憶する気象情報中の緊急情報の存在を判定する緊急情報抽出手順
（２）存在すると判定した緊急情報に係る緊急画面及び標準画面のうち、省略を想定しない省略否である必須画面の標準時間の合計を算出し、
算出した標準時間の合計が当該天気予報番組の放送時間よりも短い場合には、前記必須画面を当該画面に少なくとも標準時間以上を配分する標準採用とし、前記緊急画面及び標準画面のうち省略を想定する省略可の任意画面が、その最短時間を前記標準時間の合計に加算した合計時間が前記放映時間よりも短い場合に、当該任意画面を当該画面に少なくとも最短時間以上を配分する短縮採用とし、
一方、前記算出した標準時間の合計が当該天気予報番組の放送時間よりも大きい場合には、前記必須画面を前記短縮採用とし、
標準採用とした画面については、標準時間を配分時間とし、短縮採用とした画面ついては、最短時間と標準時間の間で、標準採用の画面と短縮採用の画面の配分時間の合計が放送時間と等しくなる配分時間を算出する番組編成手順
（３）標準採用の画面と短縮採用の画面について、順次各画面に関する気象情報を気象情報データベースから取得し、当該気象情報を所定の表示形式で放映メモリに展開する画面展開処理を行ない、前の画面を画面展開処理してから当該画面の配分時間経過後に、次の画面の画面展開処理に移行するように制御する番組映像生成手順。
【発明の詳細な説明】
【技術分野】
【０００１】
本発明は、映像メモリを介して天気予報番組の映像を提供する番組映像提供装置に係り、台風や地震など緊急の情報が有る場合に、番組の画面構成およびその画面の放映に係る配分時間を最適化する技術に関する。
【背景技術】
【０００２】
従来の発明では、台風や地震など緊急の情報が有る場合には、編成作業として、これらの緊急情報の画面と実況天気図など通常の情報の画面を制御する為のタイムテーブルを作成し、そのタイムテーブルに従って画面を展開する操作を行ない、天気予報番組の映像を生成していた。
【０００３】
しかし、各画面の採用あるいは不採用の決定や採用した画面の時間配分は、編成技術者の判断に依存するため、必ずしも最適であるとは限らなかった。
【特許文献１】特開２００３−０３２６４９号公報
【特許文献２】特開２００５−２０４１５９号公報
【発明の開示】
【発明が解決しようとする課題】
【０００４】
本発明は、映像メモリを介して天気予報番組の映像を提供する番組映像提供装置に係り、台風や地震など緊急の情報が有る場合に、番組の画面構成およびその画面の放映に係る配分時間を自動的に最適化することを課題とする。
【課題を解決するための手段】
【０００５】
本発明に係る番組映像提供装置は、映像メモリを介して天気予報番組の映像を提供する番組映像提供装置であって、以下の要素を有することを特徴とする
（１）緊急情報を含み得る気象情報を記憶する気象情報データベース
（２）気象情報データベースに記憶する気象情報中の緊急情報の存在を判定する緊急情報抽出部
（３）緊急情報を知らせる緊急画面について、当該画面の放映に適した標準時間、当該画面を短縮して放映する場合の条件となる最短時間、及び当該画面を省略することを想定するか否かを示す省略可否を記憶する緊急画面テーブル
（４）天気予報番組を構成する緊急画面以外の標準画面について、前記標準時間、前記最短時間、及び前記省略可否を記憶する標準番組構成情報記憶部
（５）存在すると判定した緊急情報に係る緊急画面及び標準画面のうち、省略を想定しない省略否である必須画面の標準時間の合計を算出し、
算出した標準時間の合計が当該天気予報番組の放送時間よりも短い場合には、前記必須画面を当該画面に少なくとも標準時間以上を配分する標準採用とし、前記緊急画面及び標準画面のうち省略を想定する省略可の任意画面が、その最短時間を前記標準時間の合計に加算した合計時間が前記放映時間よりも短い場合に、当該任意画面を当該画面に少なくとも最短時間以上を配分する短縮採用とし、
一方、前記算出した標準時間の合計が当該天気予報番組の放送時間よりも大きい場合には、前記必須画面を前記短縮採用とし、
標準採用とした画面については、標準時間を配分時間とし、短縮採用とした画面ついては、最短時間と標準時間の間で、標準採用の画面と短縮採用の画面の配分時間の合計が放送時間と等しくなる配分時間を算出する番組編成部
（６）標準採用の画面と短縮採用の画面について、順次各画面に関する気象情報を気象情報データベースから取得し、当該気象情報を所定の表示形式で放映メモリに展開する画面展開処理を行ない、前の画面を画面展開処理してから当該画面の配分時間経過後に、次の画面の画面展開処理に移行するように制御する番組映像生成部。
【０００６】
また、番組映像提供装置は、通信網を介して気象情報配信サーバに接続し、気象情報配信サーバから受信した気象情報を気象情報データベースに登録する気象情報収集部を有することを特徴とする。
【０００７】
また、緊急画面テーブルは、前記緊急画面について、更に画面展開処理の前後関係を示す表示順位を記憶し、
標準番組構成情報記憶部は、前記標準画面について、更に前記表示順位を記憶し、
番組編成部は、標準採用の画面と短縮採用の画面を、それぞれの表示順位に従って順序付けし、
番組映像生成部は、当該順序付けに従って、画面展開処理を行なうことを特徴とする。
【０００８】
また、番組映像提供装置は、番組放送の準備開始時刻に至ったか判定する番組放送準備開始判定部と、
番組の放送開始時刻に至ったか判定する番組放送開始判定部を有し、
緊急情報抽出部は、番組放送の準備開始時刻に至った時点で、気象情報中の緊急情報の存在を判定し、
番組編成部は、緊急情報抽出部の判定に従って、前記採用の判定と時間配分の処理を行い、
番組映像生成部は、番組の放送開始時刻に至った時点で、前記画面展開処理を開始することを特徴とする。
【０００９】
本発明に係るプログラムは、
緊急情報を含み得る気象情報を記憶する気象情報データベースと、
緊急情報を知らせる緊急画面について、当該画面の放映に適した標準時間、当該画面を短縮して放映する場合の条件となる最短時間、当該画面を省略することを想定するか否かを示す省略可否を記憶する緊急画面テーブルと、
天気予報番組を構成する緊急画面以外の標準画面について、前記標準時間、前記最短時間、前記省略可否を記憶する標準番組構成情報記憶部を有し、映像メモリを介して天気予報番組の映像を提供する番組映像提供装置となるコンピュータに、以下の手順を実行させることを特徴とする
（１）気象情報データベースに記憶する気象情報中の緊急情報の存在を判定する緊急情報抽出手順
（２）存在すると判定した緊急情報に係る緊急画面及び標準画面のうち、省略を想定しない省略否である必須画面の標準時間の合計を算出し、
算出した標準時間の合計が当該天気予報番組の放送時間よりも短い場合には、前記必須画面を当該画面に少なくとも標準時間以上を配分する標準採用とし、前記緊急画面及び標準画面のうち省略を想定する省略可の任意画面が、その最短時間を前記標準時間の合計に加算した合計時間が前記放映時間よりも短い場合に、当該任意画面を当該画面に少なくとも最短時間以上を配分する短縮採用とし、
一方、前記算出した標準時間の合計が当該天気予報番組の放送時間よりも大きい場合には、前記必須画面を前記短縮採用とし、
標準採用とした画面については、標準時間を配分時間とし、短縮採用とした画面ついては、最短時間と標準時間の間で、標準採用の画面と短縮採用の画面の配分時間の合計が放送時間と等しくなる配分時間を算出する番組編成手順
（３）標準採用の画面と短縮採用の画面について、順次各画面に関する気象情報を気象情報データベースから取得し、当該気象情報を所定の表示形式で放映メモリに展開する画面展開処理を行ない、前の画面を画面展開処理してから当該画面の配分時間経過後に、次の画面の画面展開処理に移行するように制御する番組映像生成手順。
【発明の効果】
【００１０】
本発明によれば、緊急情報に係る緊急画面と、それ以外に天気予報を構成する標準画面について、省略しない必須画面と省略し得る任意画面に分け、必須画面について表示時間として適した標準時間の合計を算出し、その合計が天気予報番組全体の放送時間を越えていなければ、任意画面を最短時間以上で採用し、一方、前記合計が天気予報番組全体の放送時間を越えていれば、必須画面の表示時間を最短時間までの範囲で短縮するので、重要な情報が少ない場合には、重要な情報を十分に伝えるとともに、付加的な情報を加え、重要な情報が多い場合には、伝達に必要な条件を満たしつつ、多くの情報を伝えることができる。
【００１１】
天候が安定しており、緊急の情報が無いあるいは少ない場合には、視聴者の注意力があまり高くないので、十分な時間をかけて伝達することが望ましく、また警告の意義よりも娯楽的な意味合いで天気予報を視聴するので、付加情報を含めることが放送サービスとして望ましい。一方、天候が不安定であり、緊急の情報が多い場合には、視聴者の注意力が高いので、関心を持って視聴することを条件として有効な最低時間を確保すれば十分であり、危険の内容を詳しく知らせるために、重要な情報を多く伝達することが放送としての使命となる。本発明は、このように、状況に応じて放送時間内に伝達すべき情報の特性を反映して、最適な番組構成を自動的に生成することができる。
【００１２】
特に、刻々と変化する緊急情報を即時に適切な形式で伝達するためには、本発明のように自動化するメリットは大きい。
【発明を実施するための最良の形態】
【００１３】
実施の形態１．
本発明は、映像メモリを介して天気予報番組の映像を提供する番組映像提供装置に関する。図１は、放送局施設の構成を示す図である。番組映像提供装置１０１は、通信網を介して気象情報配信サーバ１０２と接続している。そして、気象情報配信サーバ１０２から気象情報を取得するように構成されている。また、気象情報に基づいて天気予報番組に係る番組映像を生成してミキサー装置１０３に提供する。映像メモリを番組映像提供装置１０１の内部に設け、ミキサー装置１０３から映像メモリ上の画像データを読み取る構成や、映像メモリを番組映像提供装置１０１の外部あるいはミキサー装置１０３の内部に設け、番組映像提供装置１０１から当該映像メモリに画像データを書き込み、ミキサー装置１０３の処理部で当該映像メモリ上の画像データを読み取る構成などが考えられる。
【００１４】
ミキサー装置１０３は、音声入力装置１０４から入力された番組の音声を入力し、番組映像と番組音声を合成し、放送映像と放送音声として放送システム１０５に転送する。放送システム１０５は、放送映像と放送音声を放送電波に変換して、送出する。
【００１５】
図２は、番組映像提供装置の構成を示す図である。番組映像提供装置１０１は、気象情報収集部２０１、気象情報データベース２０２、番組スケジュール実行部２０３、及び番組スケジュールマスタ記憶部２０４を有している。気象情報収集部２０１は、気象情報配信サーバ１０２から受信した気象情報を気象情報データベース２０２に蓄積させ、番組スケジュール実行部２０３は、番組スケジュールマスタ記憶部２０４に予め記憶されている番組スケジュールに従って、気象情報を伝達する天気予報番組の番組映像を生成して、ミキサー装置１０３に転送する。
【００１６】
図３は、気象情報収集処理フローを示す図である。気象情報収集部２０１は、気象情報配信サーバ１０２から気象情報を受信する待ち状態で（Ｓ３０１）、気象情報を受信すると（Ｓ３０２）、受信した気象情報を気象情報データベースに登録する（Ｓ３０３）。
【００１７】
気象情報データベースは、緊急情報を含み得る気象情報を記憶するように構成されている。図４は、気象情報データベースの構成を示す図である。気象情報は、図示した各テーブルにより構成されており、受信の都度最新の情報に更新されるように構成されている。テーブルは、常時データが存在する常設テーブル群と、状況に応じてデータが存在する臨時テーブル群とに大別される。常設テーブル群には、例えば、実況天気図テーブル４０１、予想天気図テーブル４０２、全国天気予報テーブル４０３、県内天気予報テーブル４０４、県内降水確率テーブル４０５、県内予想気温テーブル４０６、及び県内週間天気予報テーブル４０７が含まれる。実況天気図テーブル４０１は、実況の日付と時刻、実況天気図の情報を有し、予想天気図テーブル４０２は、予想の日付と時刻、予想天気図の情報を有し、全国天気予報テーブル４０３は、予想の日付と時刻、全国の地名に対応する予想天気の情報を有し、県内天気予報テーブル４０４は、予想の日付と時刻、県内（特定地域の例）の地名に対応する予想天気の情報を有し、県内降水確率テーブル４０５は、予想の日付と時刻、県内の地名に対応する降水確率の情報を有し、県内予想気温テーブル４０６は、予想の日付と時刻、県内の地名と県内の地名の組み合わせに対応する予想気温の情報を有し、県内週間天気予報テーブル４０７は、週間の各日付に対応する予想天気の情報を有している。
【００１８】
臨時テーブル群には、例えば、全国地震情報テーブル４５１、県内地震情報テーブル４５２、県内警報・注意報テーブル４５３、及び台風情報テーブル４５４が含まれる。全国地震情報テーブル４５１は、現在時刻から遡って所定時間範囲内に地震が発生している場合に、地震発生時刻、全国の震度観測地名と当該観測地における震度の情報を有し、県内地震情報テーブル４５２は、同様に現在時刻から遡って所定時間範囲内に地震が発生している場合に、地震発生時刻、県内の震度観測地名と当該観測地における震度の情報を有し、県内警報・注意報テーブル４５３は、更新日時・時刻、県内地域（警報・注意報の発令単位の地域）別に、発令中の警報・注意報の情報を有し、台風情報テーブル４５４は、観測日時・時刻、台風の位置、中心気圧、風速、予想進路等の情報を有している。
【００１９】
続いて、番組スケジュール実行部２０３の構成及び動作について説明する。図５は、番組スケジュール実行部の処理モジュールの構成を示す図である。番組スケジュール実行部２０３は、処理モジュールとして、番組放送準備開始判定部５０１、番組放送準備処理部５０２、番組放送開始判定部５０３、及び番組放送時処理部５０４を有している。また、番組放送準備処理部５０２は、緊急情報抽出部５２１と番組編成部５２２を有し、番組放送時処理部５０４は番組映像生成部５４１を有している。
【００２０】
図６は、番組スケジュール実行処理フローを示す図である。番組放送準備開始判定部５０１による番組放送準備開始待ち（Ｓ６０１）の処理を行なう。この処理では、番組スケジュールマスタ記憶部２０４に記憶されている番組ＩＤと放送準備開始時刻を読み取り、時計部から現在時刻を取得し、現在時刻が放送準備開始時刻に至るまで待つ。番組ＩＤは、番組編成部５２２に転送される。この例によらず、放送準備開始時刻に代えて放送開始時刻を読み取り、放送開始時刻から所定の時間を差し引いて、その差を放送準備開始時刻として用いてもよい。
【００２１】
図７は、番組スケジュールマスタの例を示す図である。天気予報の番組毎にレコードを設け、番組ＩＤ７０１、番組名７０２、放送準備開始時刻７０３、放送開始時刻７０４、放送時間７０５の項目を対応付けて記憶するように構成されている。放送準備開始時刻７０３は、当該天気予報番組の放送に係る準備処理を開始する時刻である。放送開始時刻７０４は、当該天気予報番組の放送を開始する時刻である。放送時間７０５は、当該天気予報番組が放送される時間長である。
【００２２】
上述の処理で、放送準備開始時刻に至ったと判定されると、番組放送準備処理部５０２による番組放送準備処理（Ｓ６０２）で、当該天気予報番組の放送に係る準備処理を行なう。この処理については、図９を用いて後述する。
【００２３】
続いて、番組放送開始判定部５０３による番組放送開始待ち（Ｓ６０３）の処理を行なう。この処理では、番組スケジュールマスタ記憶部２０４に記憶されている放送開始時刻を読み取り、時計部から現在時刻を取得し、現在時刻が放送開始時刻に至るまで待つ。
【００２４】
そして、放送開始時刻に至ったと判定されると、番組放送時処理部５０４による番組放送時処理（Ｓ６０４）で、番組放送時の処理を行なう。この処理については、図３６を用いて後述する。
【００２５】
図８は、番組スケジュール実行部の構成を示す図である。この図では、標準番組構成情報記憶部８０１、番組編成用テーブル８０２、緊急画面テーブル８０３、放送用番組構成情報記憶部８０４、画面定義テーブル８０５、及び表示要素データベース８０６のように記憶領域についても示している。
【００２６】
標準番組構成情報記憶部８０１は、天気予報番組毎に、緊急情報を知らせる緊急画面を挿入しない場合に当該番組で放映する標準画面の制御情報群を記憶している。詳しくは、図１２を用いて後述する。標準画面は、天気予報番組を構成する緊急画面以外の画面のことである。
【００２７】
番組編成用テーブル８０２は、番組編成部５２２により番組を編成する際に用いるテーブルであって、当該番組で放映される画面の候補に係る画面制御情報群を記憶するように構成されている。詳しくは、図１４を用いて後述する。
【００２８】
緊急画面テーブル８０３は、臨時テーブル群にデータが存在する場合に、番組に加えられる緊急画面の制御情報群を記憶している。詳しくは、図１３を用いて後述する。
【００２９】
放送用番組構成情報記憶部８０４は、番組編成部５２２により編成された結果として、実際に放送される番組に含まれる放送用画面の制御情報を記憶するように構成されている。詳しくは、図２３を用いて後述する。
【００３０】
画面定義テーブル８０５は、画面毎に、画面の表示に係る構成を定義する情報を記憶している。詳しくは、図３９を用いて後述する。
【００３１】
表示要素データベース８０６は、画面を構成する表示要素の画像データを記憶している。詳しくは、図４０から図４３を用いて後述する。
【００３２】
ここで、番組放送準備処理（図６のＳ６０２）について説明する。図９は、番組放送準備処理フローを示す図である。まず、緊急情報抽出部５２１による緊急情報抽出処理（Ｓ９０１）を行い、続いて番組編成部５２２による番組編成処理（Ｓ９０２）を行なう。緊急情報抽出処理（Ｓ９０１）では、気象情報データベース２０２からその時点で存在する緊急情報の種別を特定する。番組編成処理（Ｓ９０２）では、緊急情報の種別に応じて放送する番組に含める画面とその配分時間を特定し、放送用画面制御情報として放送用番組構成情報記憶部８０４に記憶させる。以下、これらの処理について詳述する。
【００３３】
緊急情報抽出処理（Ｓ９０１）について説明する。図１０は、緊急情報抽出処理フローを示す図である。気象情報データベースの全国地震情報テーブル４５１から全国地震情報を読み取り（Ｓ１００１）、全国地震情報がある場合には（Ｓ１００２）、緊急情報種別に全国地震情報有の旨を設定する（Ｓ１００３）。同様に、気象情報データベースの県内地震情報テーブル４５２から県内地震情報を読み取り（Ｓ１００４）、県内地震情報がある場合には（Ｓ１００５）、緊急情報種別に県内地震情報有の旨を設定する（Ｓ１００６）。また、気象情報データベースの県内警報・注意報テーブル４５３から県内警報・注意報を読み取り（Ｓ１００７）、県内警報・注意報がある場合には（Ｓ１００８）、緊急情報種別に県内警報・注意報有の旨を設定する（Ｓ１００９）。更に、気象情報データベースの台風情報テーブル４５４から台風情報を読み取り（Ｓ１０１０）、台風情報がある場合には（Ｓ１０１１）、緊急情報種別に台風情報有の旨を設定する（Ｓ１０１２）。そして、緊急情報種別（全国地震情報の有／無、県内地震情報の有／無、県内警報・注意報の有／無、台風情報の有／無）を出力する（Ｓ１０１３）。このようにして、気象情報中の緊急情報の存在を判定する。
【００３４】
続いて、番組編成処理（Ｓ９０２）について説明する。図１１は、番組編成処理フローを示す図である。番組スケジュールマスタ記憶部２０４から当該番組ＩＤに対応する放送時間を取得する（Ｓ１１０１）。そして、当該番組ＩＤにより特定される標準番組構成情報に含まれる全ての標準画面制御情報（画面ＩＤ、表示順位、標準時間、最短時間、省略可否、及び優先順位を含む。）を読込み、番組編成用テーブル８０２に書き込む（Ｓ１１０２）。これらの標準画面は、当該番組で表示する候補である候補画面となる。
【００３５】
図１２は、標準番組構成情報の例を示す図である。ヘッダに番組ＩＤ１２０１及び放送時間１２０２の項目を有し、番組を構成する標準画面毎にレコードを設け、画面ＩＤ１２０３、画面名１２０４、表示順位１２０５、標準時間１２０６、最短時間１２０７、省略可否１２０８、及び優先順位１２０９の項目を対応付けて記憶するように構成されている。標準画面は、緊急画面を挿入しない場合に当該番組で放映する画面である。画面ＩＤは、画面を識別する情報である。表示順位１２０５は、番組内で表示する順位、つまり画面展開処理（図３８を用いて後述する。）される順番の前後関係を示す順位であり、この例では小さい値から順に表示（つまり、画面展開処理）するように制御する。標準時間１２０６は、当該画面を放映するのに適した時間である。平常時における通常の視聴者の注意力に従って、充分に当該画面の内容を伝達できる時間を設定するのが望ましい。最短時間１２０７は、当該画面を放映する際の最短の時間（当該画面を短縮して放映する場合の条件）である。緊急時における高い注意力によって、あるいは興味を持って積極的に視聴する場合の注意力によって、充分に当該画面の内容を伝達できる時間を設定するのが望ましい。省略可否１２０８は、当該画面の省略を想定するか否かを示す情報である。以下、省略できる画面を任意画面（不採用にできる画面の意）といい、省略できない画面を必須画面（必ず採用する画面の意）という。優先順位１２０９は、番組に含める判定（採用の判定）をする際の採用されやすさを示す順位である。この例では値が小さい方が優先的に採用されるように制御する。採用とは、当該番組の放送に当該画面の放映を含めることである。
【００３６】
次に、図１１のＳ１１０３に示すように、存在すると判定された緊急情報種別で特定される緊急画面制御情報（画面ＩＤ、表示順位、標準時間、最短時間、省略可否、及び優先順位を含む。）を緊急画面テーブル８０３から読込み、番組編成用テーブル８０２に書き込む（Ｓ１１０３）。これらの緊急画面は、当該番組で表示する候補である候補画面となる。
【００３７】
図１３は、緊急画面テーブルの例を示す図である。ヘッダに緊急情報種別１３０１の項目を有し、緊急画面毎にレコードを設け、画面ＩＤ１３０２、画面名１３０３、表示順位１３０４、標準時間１３０５、最短時間１３０６、省略可否１３０７、及び優先順位１３０８の項目を対応付けて記憶するように構成されている。
【００３８】
番組編成用テーブル８０２上で、省略可否が否である全ての画面制御情報（必須画面）の採用判別子を「標準採用」にする。また、他の画面制御情報に含まれる採用判別子は「不採用」とする（Ｓ１１０４）。
【００３９】
図１４は、番組編成用テーブルの例１（Ｓ１１０４の後）を示す図である。候補画面毎にレコードを設け、画面ＩＤ１４０１、画面名１４０２、表示順位１４０３、採用判別子１４０４、配分時間１４０５、標準時間１４０６、最短時間１４０７、省略可否１４０８、及び優先順位１４０９の項目を対応付けて記憶するように構成されている。採用判別子１４０４は、当該画面を番組内で表示する「採用」と表示しない「不採用」の別と、更に「採用」について配分時間を標準時間以上とする「標準」と、同じく配分時間を最短時間以上とする「短縮」の別を区別する情報である。つまり「標準採用」は、当該画面を番組に含め、標準時間を基準としてそれ以上を配分時間に割り当てることを意味し、「短縮採用」は、当該画面を番組に含め、最低時間を基準としてそれ以上を配分時間に割り当てることを意味し、「不採用」は、当該画面を番組に含めないことを意味する。
【００４０】
この例は、番組ＩＤがＰ００２の番組（「今朝の番組」）について、放送準備開始時刻「０７時２４分５８秒」に至った時点で、臨時テーブル群のうち県内警報・注意報と台風情報が存在し、図１２の全ての画面制御情報と図１３のうち県内警報・注意報と台風情報に係る画面制御情報を番組編成用テーブル８０２に転送し、必須画面を「標準採用」とし、任意画面を「不採用」とした状態を示している。Ｓ１１０４を処理した時点では、採用判別子は確定しておらず、また配分時間も決定していない。
【００４１】
続いて、採用時間合算処理（Ｓ１１０５）を行なう。この処理では、採用判別子が「標準採用」の画面に標準時間を割り当て、「短縮採用」の画面に最短時間を割り当て、「不採用」の画面に時間を割り当てない場合の配分時間の合計を算出する処理を行なう。
【００４２】
図１５は、採用時間合算処理フローを示す図である。まず、内部パラメータである合計時間を０に初期化する（Ｓ１５０１）。そして、番組編成用テーブル上の画面制御情報（レコード）について順次以下の処理を繰り返す（Ｓ１５０２）。採用判別子が「標準採用」の場合には（Ｓ１５０３）、当該画面制御情報の標準時間を合計時間に加算する（Ｓ１５０４）。また、採用判別子が「短縮採用」の場合には（Ｓ１５０３）、当該画面制御情報の最短時間を合計時間に加算する（Ｓ１５０５）。採用判別子が「不採用」の場合には（Ｓ１５０３）、合計時間に時間を加算しない。そして、すべての画面制御情報について処理した時点で（Ｓ１５０６）、合計時間を出力する（Ｓ１５０７）。
【００４３】
図１１に示すように、合計時間を当該番組の放送時間と比較し（Ｓ１１０６）、合計時間が放送時間より小さい場合には時間的に余裕が有り、更に画面を追加することができる可能性があるので、任意画面を採用する任意画面追加処理（Ｓ１１０７）を行なう。他方、合計時間が放送時間より大きい場合には、所定の時間枠をオーバーしているので、必須画面を「短縮採用」に変更し、なお時間枠をオーバーしている場合には必須画面のうちいずれかの削除する必須画面縮減処理（Ｓ１１０８）を行なう。合計時間が放送時間と等しい場合には、画面採用の調整処理は行なわない。
【００４４】
まず、任意画面追加処理（Ｓ１１０７）について説明する。必須画面縮減処理（Ｓ１１０８）については、図３１を用いて後述する。
【００４５】
図１６は、任意画面追加処理フローを示す図である。番組編成用テーブル８０２上で、省略可否が可である画面制御情報（任意画面）について、優先順位の高い順に以下の処理を繰り返す（Ｓ１６０１）。当該任意画面の画面制御情報の採用判別子を「短縮採用」にして（Ｓ１６０２）、採用時間合算処理（Ｓ１６０３）を行なう。これにより、当該任意画面を追加できるかを判定する。合計時間を放送時間と比較し（Ｓ１６０４）、合計時間が放送時間より小さいあるいは等しい場合には、放送時間内に収まることを意味するので、「短縮採用」を維持する。他方、合計時間が放送時間より大きい場合には、放送時間内に収まらないことを意味するので、当該任意画面の画面制御情報の採用判別子を「不採用」に戻す（Ｓ１６０５）。すべての任意画面の画面制御情報について処理した時点で終了する（Ｓ１６０６）。
【００４６】
図１７は、番組編成用テーブルの例１（Ｓ１１０７の後）を示す図である。図１４の番組編成用テーブルについて採用時間合算処理で合計時間を求めると、７０秒となり放送時間の９０秒よりも小さいので（Ｓ１１０６）、Ｓ１１０７で図１６の任意画面追加処理を行なう。１４５１と１４５２と１４５５の３つの任意画面があるが、優先順位に従って１４５５、１４５１、１４５２の順に処理を行ない、１４５５を「短縮採用」とした状態で合計時間が８８秒となるので、当該画面を「短縮採用」に決定する。更に１４５１あるいは１４５２を追加すると、放送時間９０秒を越えるのでこれらについてはいずれも「不採用」のままとなる。
【００４７】
続いて、図１１に示すように時間配分処理（Ｓ１１０９）を行なう。この処理では、採用判別子に従って、放送時間を各画面の配分時間に割り当てる。
【００４８】
図１８は、時間配分処理フローを示す図である。当該番組の放送時間を取得し（Ｓ１８０１）、採用時間配分処理（Ｓ１８０２）を行なう。この処理では、採用判別子が「標準採用」の画面の配分時間に標準時間を割り当て、「短縮採用」の画面の配分時間に最短時間を割り当てる処理を行なう。
【００４９】
図１９は、採用時間配分処理フローを示す図である。番組編成用テーブル８０２上の画面制御情報について順次以下の処理を繰り返す（Ｓ１９０１）。採用判別子が「標準採用」の場合には（Ｓ１９０２）、当該画面制御情報の配分時間に、当該画面制御情報の標準時間を設定し（Ｓ１９０３）、採用判別子が「短縮採用」の場合には（Ｓ１９０２）、当該画面制御情報の配分時間に、当該画面制御情報の最短時間を設定する（Ｓ１９０４）。採用判別子が「不採用」の場合には（Ｓ１９０２）、配分時間は設定しない。そして、すべての画面制御情報について処理した時点で終了する（Ｓ１９０５）。
【００５０】
そして、図１８のＳ１８０３に示すように設定した配分時間の合計を算出し、配分時間の合計を、当該番組の放送時間と比較する（Ｓ１８０４）。等しい場合には、配分時間の調整は必要ないので終了する。一方、配分時間の合計が当該番組の放送時間と等しくない場合（配分時間の合計が小さい場合）には、短縮採用拡張処理（Ｓ１８０５）を行なう。この処理では、短縮採用の画面制御情報の配分時間を増やす処理を行なう。
【００５１】
図２０は、短縮採用拡張処理フローを示す図である。番組編成用テーブル８０２上で、配分時間が標準時間未満の画面制御情報を特定し（Ｓ２００１）、特定した画面制御情報群について、優先順位が高い順に以下の処理を繰り返す（Ｓ２００４）。
【００５２】
当該画面制御情報の配分時間に単位時間（例えば、１）を加え（Ｓ２００５）、配分時間の合計を算出して（Ｓ２００６）、配分時間の合計を当該番組の放送時間と比較し、等しい場合には（Ｓ２００７）、ステータスを「配分完了」として終了する（Ｓ２００９）。配分時間の合計が当該番組の放送時間と等しくない場合（配分時間の合計が小さい場合）には、優先順位に従って次の画面制御情報について同様の処理（Ｓ２００５〜Ｓ２００７）を繰り返す。すべての特定した画面制御情報について一巡した場合には（Ｓ２００８）、Ｓ２００１の処理に戻り、改めて配分時間が標準時間未満の画面制御情報を特定して、同様の処理を繰り返す。
【００５３】
配分時間が標準時間未満の画面制御情報がない場合には（Ｓ２００２）、「短縮採用」の配分時間を標準時間まで増加させても、配分時間の合計が放送時間に至らないので、ステータスを「未完了」として終了する（Ｓ２００３）。
【００５４】
この例では、最短時間と標準時間の間で、各画面に均等に余りの時間を分配する処理を行なったが、優先順位の高い画面を優先して、標準時間を限度に先に配分するようにしてもよい。あるいは、画面同士の最短時間の比率や標準時間の比率に従って、余りの時間を按分しもよい。つまり、最短時間と標準時間の間で、「標準採用」の画面と「短縮採用」の画面の配分時間の合計が放送時間と等しくなる配分時間を算出できれば、いずれの処理手順でも有効である。
【００５５】
図１８のＳ１８０５に示すように、短縮採用拡張処理でステータスが「配分完了」の場合には終了する（Ｓ１８０６）。ステータスが「未完了」の場合には（Ｓ１８０６）、全採用拡張処理（Ｓ１８０７）を行なう。この処理では、すべての画面制御情報を対象として優先順位に従って配分時間を増加させる。この処理については、図２６を用いて後述する。
【００５６】
図２１は、番組編成用テーブルの例１（Ｓ１１０９の後）を示す図である。図１７の番組編成用テーブルに時間配分すると図２１のようになる。２１５３、２１５４、２１５６、２１５７の配分時間にはＳ１８０２で標準時間を設定され、２１５５の配分時間にはＳ１８０２で設定された最短時間をＳ１８０５で拡張し、配分時間の合計が放送時間と等しくなるように調整している。
【００５７】
このようにして時間配分処理（Ｓ１１０９）を終えると、図１１に示すように表示順ソート処理（Ｓ１１１０）を行なう。図２２は、表示順ソート処理フローを示す図である。番組編成用テーブル上で、採用判別子が「不採用」の画面制御情報を削除し（Ｓ２２０１）、表示順位が小さい順に、画面制御情報を並び替える（Ｓ２２０２）。
【００５８】
図１１に示すように番組編成用テーブルの画面制御情報（画面ＩＤと配分時間を含む。）を、放送用番組構成記憶部にコピーする（Ｓ１１１１）。この例では、画面ＩＤと画面名と配分時間を複製している。
【００５９】
図２３は、放送用番組構成情報の例１を示す図である。放送用番組を構成する画面毎にレコードを設け、画面ＩＤ２３０１、画面名２３０２、配分時間２３０３の項目を対応付けて記憶するように構成されている。この例では、台風情報画面と県内警報・注意報画面が標準時間で追加され、一方予想天気図画面と全国天気予報画面が削除されている。また、県内週間天気予報画面は標準時間よりも短くなっている。
【００６０】
例２で、緊急情報として県内警報・注意報が存在する場合について説明する。図２４は、番組編成用テーブルの例２（Ｓ１１０９の後）を示す図である。２４５１と２４５５の配分時間を短縮採用拡張処理（Ｓ１８０５）で拡張している。
【００６１】
図２５は、放送用番組構成情報の例２を示す図である。この例では、県内警報・注意報画面が標準時間で追加され、一方全国天気予報画面が削除されている。また、県内週間天気予報画面は標準時間よりも短くなっている。
【００６２】
次に、図１８の全採用拡張処理（Ｓ１８０７）について説明する。図２６は、全採用拡張処理フローを示す図である。すべての画面制御情報について、優先度が高い順に以下の処理を繰り返す（Ｓ２６０１）。尚、最も優先度が低い画面制御情報まで処理した場合には、改めて優先順位が高い順（小さい順）から繰り返す。
【００６３】
当該画面制御情報の配分時間に単位時間（例えば、１）を加え（Ｓ２６０２）、配分時間の合計を算出し（Ｓ２６０３）、配分時間の合計が当該番組の放送時間と等しくなるまで処理を繰り返す（Ｓ２６０４）。
【００６４】
この例では、標準時間以上で、各画面に均等に余りの時間を分配する処理を行なったが、優先順位の高い画面に余りの時間をすべて配分するようにしてもよい。あるいは、画面同士の標準時間の比率に従って、余りの時間を按分しもよい。つまり、標準時間以上で、「標準採用」の画面と「短縮採用」の画面の配分時間の合計が放送時間と等しくなる配分時間を算出できれば、いずれの処理手順でも有効である。
【００６５】
例３で、緊急情報として台風情報が存在する場合について説明する。図２７は、番組編成用テーブルの例３（Ｓ１１０９の後）を示す図である。短縮採用拡張処理（Ｓ１８０５）で、標準時間と等しくなるまで配分時間を拡張しても、配分時間の合計が８９秒であり放送時間に満たないので、全採用拡張処理（Ｓ１８０７）で優先順位の高い２７５６の配分時間を１だけ増加させている。
【００６６】
図２８は、放送用番組構成情報の例３を示す図である。この例では、台風情報画面が標準時間＋１で追加され、一方、全国天気予報画面が削除されている。
【００６７】
例４で、全国地震情報と県内地震情報が存在する場合について説明する。図２９は、番組編成用テーブルの例４（Ｓ１１０９の後）を示す図である。この例では、全採用拡張処理（Ｓ１８０７）で優先順位に従って、２９５７と２９５６の配分時間を標準時間から１ずつ増加させている。
【００６８】
図３０は、放送用番組構成情報の例４を示す図である。この例では、全国地震情報画面と県内地震情報画面が標準時間＋１で追加され、一方全国天気予報画面と県内週間天気予報画面が削除されている。
【００６９】
次に、図１１の必須画面縮減処理（Ｓ１１０８）について説明する。必須画面の標準時間を合計すると放送時間を越えるので、「短縮採用」に変更し、それでも放送時間を越える場合には優先順位の低い必須画面を削除する処理を行なう。
【００７０】
図３１は、必須画面縮減処理フローを示す図である。まず、番組編成用テーブル上で、すべての必須画面の画面制御情報に含まれる採用判別子を「短縮採用」にし（Ｓ３１０１）、採用時間合算処理（Ｓ３１０２）により算出した合計時間を放送時間と比較する（Ｓ３１０３）。合計時間が放送時間より小さい場合あるいは等しい場合には、放送時間に収まるので処理を終了する。一方、合計時間が放送時間より大きい場合には、必須画面の画面制御情報について、優先順位の低い順（この例では、大きい値の順）に以下の処理を繰り返す（Ｓ３１０４）。当該必須画面の画面制御情報に含まれる採用判別子を「不採用」にして（Ｓ３１０５）、採用時間合算処理（Ｓ３１０６）により算出した合計時間を放送時間と比較する（Ｓ３１０７）。合計時間が放送時間より小さい場合あるいは等しい場合には、当該必須画面を削除することによって放送時間に収まるので処理を終了する。合計時間が放送時間より大きい場合には、次に優先順位の低い必須画面を削除する処理を繰り返す。
【００７１】
例５で、全国地震情報と県内地震情報と県内警報・注意報が存在する場合について説明する。図３２は、番組編成用テーブルの例５（Ｓ１１０９の後）を示す図である。３２５３、３４５４、３４５６、３４５７、３４５８の必須画面の標準時間を合計すると、９４秒となり放送時間の９０秒を越えるので、これらの採用判別子を「標準採用」から「短縮採用」に変更している。配分時間は、短縮採用拡張処理（Ｓ１８０５）で決定されている。
【００７２】
図３３は、放送用番組構成情報の例５を示す図である。この例では、全国地震情報画面と県内地震情報画面と県内警報・注意報画面が標準時間で追加され、一方予想天気図画面と全国天気予報画面と県内週間天気予報画面が削除されている。また、県内天気予報・降水確率画面と県内予想気温画面は標準時間よりも短くなっている。
例６で、全国地震情報と県内地震情報と県内警報・注意報と台風情報が存在する場合について説明する。図３４は、番組編成用テーブルの例６（Ｓ１１０９の後）を示す図である。３４５３、３４５４、３４５６、３４５７、３４５８、３４５９の必須画面を「標準採用」から「短縮採用」に変更しても、最短時間の合計９１秒が放送時間９０秒を越えるので、必須画面のうち最も優先順位の低い３４５４を「不採用」としている。
【００７３】
図３５は、放送用番組構成情報の例６を示す図である。この例では、全国地震情報画面と県内地震情報画面と県内警報・注意報画面と台風情報画面が標準時間で追加され、一方予想天気図画面と全国天気予報画面と県内予想気温画面と県内週間天気予報画面が削除されている。
【００７４】
次に、図６に示した番組放送時処理（Ｓ６０４）について説明する。図３６は、番組放送時処理フローを示す図である。番組放送時処理として番組映像生成処理（Ｓ３６０１）を行なう。
【００７５】
図３７は、番組映像生成処理フローを示す図である。放送用番組構成情報記憶部８０４から、表示順に従って順次画面制御情報を取得し、以下の処理を繰り返す（Ｓ３７０１）。まず、番組スケジュールマスタ記憶部２０４から放送開始時刻を取得し、放送開示時刻に表示順に従って順次各画面の配分時間を当該画面まで加えることにより、当該画面の表示開始時刻を算出する（Ｓ３７０２）。そして、当該画面の表示開始時刻を待ち（Ｓ３７０３）、表示開始時刻に至った時点で画面展開処理（Ｓ３７０４）を行なう。
【００７６】
画面展開処理（Ｓ３７０４）について説明する。図３８は、画面展開処理フローを示す図である。まず、画面ＩＤに対応する画面定義情報を画面定義テーブルから取得する（Ｓ３８０１）。
【００７７】
図３９は、画面定義テーブルの例を示す図である。ヘッダに画面ＩＤ３９０１、下絵ＩＤ３９０２、表示要素数３９０３の項目を有し、表示要素毎にレコードを設け、表示パラメータ格納位置３９０４、表示要素種別３９０５、配置座標３９０６、及びアニメ処理方式３９０７の項目を対応付けて記憶するように構成されている。
【００７８】
そして、下絵ＩＤに対応する下絵画像データを表示要素データベース８０６から取得して、映像メモリに展開する（Ｓ３８０２）。
【００７９】
表示要素データベース８０６に含まれる下絵画像データ管理テーブルについて説明する。図４０は、下絵画像データ管理テーブルの例を示す図である。下絵毎にレコードを設け、下絵ＩＤ４００１、下絵画像データファイル名４００２の項目を対応付けて記憶するように構成されている。下絵画像データファイル名４００２に従って表示要素データベース８０６に含まれる下絵画像データファイルにアクセスすることにより、下絵画像データを取得することが出来るように構成されている。図４１は、下絵画像の例を示す図である。
【００８０】
次に、表示要素数分、以下の処理を繰り返す（Ｓ３８０３）。まず、表示パラメータ格納位置に従って、気象情報データベース２０２から表示パラメータを取得する（Ｓ３８０４）。図３９の３９５１の表示パラメータ格納位置３９０４では、気象情報データベース２０２に含まれる全国天気予報テーブル４０３の地名が釧路であるレコードの天気の項目が、表示パラメータであることを示している。
【００８１】
図４２は、全国天気予報テーブルの例を示す図である。地名毎にレコードを設け、地名４２０１、天気４２０２の項目を対応付けて記憶するように構成されている。
【００８２】
次に、表示要素種別に従って、表示要素別テーブルを特定する（Ｓ３８０５）。図３９の３９５１の表示要素種別３９０５では、天気マークが表示要素であることを示しているので、表示要素別のテーブルとして天気マーク画像データ管理テーブルを特定する。
【００８３】
図４３は、天気マーク画像データ管理テーブルの例を示す図である。天気毎にレコードを設け、天気４３０１、天気マーク画像データファイル名４３０２の項目を対応付けて記憶するように構成されている。天気マーク画像データファイル名４３０２に従って表示要素データベース８０６に含まれる天気マーク画像データファイルにアクセスすることにより、天気マーク画像データを取得することが出来るように構成されている。
【００８４】
そして、表示要素別テーブルから、表示パラメータに対応する表示画像データを取得して（Ｓ３８０６）、表示画像データを、配置座標とアニメ処理方式に従って、映像メモリに展開する（Ｓ３８０７）。配置座標は、下絵イメージの上にマークなどの当該表示画像を配置する位置を示す座標である。アニメ処理方式は、スライドインや点滅等のアニメ動作を指定する情報である。すべての表示要素について処理した時点で終了する（Ｓ３８０８）。図４４は、表示画像の展開後の画像例を示す図である。
【００８５】
そして、図３７に示すように、すべての画面制御情報について処理した時点で（Ｓ３７０５）、最終画面の表示終了時刻を算出し（Ｓ３７０６）、最終画面の表示終了時刻を待って（Ｓ３７０７）、処理を終了する。最終画面の表示終了時刻は、最終画面の表示開始時刻に当該画面の配分時間を加えることにより求める。
【００８６】
番組映像提供装置１０１は、コンピュータであり、各要素はプログラムにより処理を実行することができる。また、プログラムを記憶媒体に記憶させ、記憶媒体からコンピュータに読み取られるようにすることができる。
【００８７】
コンピュータのハードウェアの構成について説明する。図４５は、ハードウェアの構成を示す図である。バスに、演算装置４５０１、データ記憶装置４５０２、メモリ４５０３、通信インターフェース４５０４が接続されている。データ記憶装置４５０２は、例えばＲＯＭ（Ｒｅａｄ  Ｏｎｌｙ  Ｍｅｍｏｒｙ）やハードディスクである。メモリ４５０３は、通常ＲＡＭ（Ｒａｎｄｏｍ  Ａｃｃｅｓｓ  Ｍｅｍｏｒｙ）である。プログラムは、通常データ記憶装置４５０２に記憶されており、メモリ４５０３にロードされた状態で、順次演算装置４５０１に読み込まれ処理を行う。通信インターフェース４５０４は、通信網を介した通信及びミキサー装置との通信に用いる。他に、操作に伴う入力装置及び出力装置を有している。
【図面の簡単な説明】
【００８８】
【図１】放送局施設の構成を示す図である。
【図２】番組映像提供装置の構成を示す図である。
【図３】気象情報収集処理フローを示す図である。
【図４】気象情報データベースの構成を示す図である。
【図５】番組スケジュール実行部の処理モジュールの構成を示す図である。
【図６】番組スケジュール実行処理フローを示す図である。
【図７】番組スケジュールマスタの例を示す図である。
【図８】番組スケジュール実行部の構成を示す図である。
【図９】番組放送準備処理フローを示す図である。
【図１０】緊急情報抽出処理フローを示す図である。
【図１１】番組編成処理フローを示す図である。
【図１２】標準番組構成情報の例を示す図である。
【図１３】緊急画面テーブルの例を示す図である。
【図１４】番組編成用テーブルの例１（Ｓ１１０４の後）を示す図である。
【図１５】採用時間合算処理フローを示す図である。
【図１６】任意画面追加処理フローを示す図である。
【図１７】番組編成用テーブルの例１（Ｓ１１０７の後）を示す図である。
【図１８】時間配分処理フローを示す図である。
【図１９】採用時間配分処理フローを示す図である。
【図２０】短縮採用拡張処理フローを示す図である。
【図２１】番組編成用テーブルの例１（Ｓ１１０９の後）を示す図である。
【図２２】表示順ソート処理フローを示す図である。
【図２３】放送用番組構成情報の例１を示す図である。
【図２４】番組編成用テーブルの例２（Ｓ１１０９の後）を示す図である。
【図２５】放送用番組構成情報の例２を示す図である。
【図２６】全採用拡張処理フローを示す図である。
【図２７】番組編成用テーブルの例３（Ｓ１１０９の後）を示す図である。
【図２８】放送用番組構成情報の例３を示す図である。
【図２９】番組編成用テーブルの例４（Ｓ１１０９の後）を示す図である。
【図３０】放送用番組構成情報の例４を示す図である。
【図３１】必須画面縮減処理フローを示す図である。
【図３２】番組編成用テーブルの例５（Ｓ１１０９の後）を示す図である。
【図３３】放送用番組構成情報の例５を示す図である。
【図３４】番組編成用テーブルの例６（Ｓ１１０９の後）を示す図である。
【図３５】放送用番組構成情報の例６を示す図である。
【図３６】番組放送時処理フローを示す図である。
【図３７】番組映像生成処理フローを示す図である。
【図３８】画面展開処理フローを示す図である。
【図３９】画面定義テーブルの例を示す図である。
【図４０】下絵画像データ管理テーブルの例を示す図である。
【図４１】下絵画像の例を示す図である。
【図４２】全国天気予報テーブルの例を示す図である。
【図４３】天気マーク画像データ管理テーブルの例を示す図である。
【図４４】表示画像の展開後の画像を示す図である。
【図４５】ハードウェアの構成を示す図である。
【符号の説明】
【００８９】
１０１  番組映像提供装置、１０２  気象情報配信サーバ、１０３  ミキサー装置、１０４  音声入力装置、１０５  放送システム、２０１  気象情報収集部、２０２  気象情報データベース、２０３  番組スケジュール実行部、２０４  番組スケジュールマスタ記憶部、４０１  実況天気図テーブル、４０２  予想天気図テーブル、４０３  全国天気予報テーブル、４０４  県内天気予報テーブル、４０５  県内降水確率テーブル、４０６  県内予想気温テーブル、４０７  県内週間天気予報テーブル、４５１  全国地震情報テーブル、４５２  県内地震情報テーブル、４５３  県内警報・注意報テーブル、４５４  台風情報テーブル、５０１  番組放送準備開始判定部、５０２  番組放送準備処理部、５０３  番組放送開始判定部、５０４  番組放送時処理部、５２１  緊急情報抽出部、５２２  番組編成部、５４１  番組映像生成部、８０１  標準番組構成情報記憶部、８０２  番組編成用テーブル、８０３  緊急画面テーブル、８０４  放送用番組構成情報記憶部、８０５  画面定義テーブル、８０６  表示要素データベース。
【図１】
0004404872.tif 000002
【図２】
0004404872.tif 000003
【図３】
0004404872.tif 000004
【図４】
0004404872.tif 000005
【図５】
0004404872.tif 000006
【図６】
0004404872.tif 000007
【図７】
0004404872.tif 000008
【図８】
0004404872.tif 000009
【図９】
0004404872.tif 000010
【図１０】
0004404872.tif 000011
【図１１】
0004404872.tif 000012
【図１２】
0004404872.tif 000013
【図１３】
0004404872.tif 000014
【図１４】
0004404872.tif 000015
【図１５】
0004404872.tif 000016
【図１６】
0004404872.tif 000017
【図１７】
0004404872.tif 000018
【図１８】
0004404872.tif 000019
【図１９】
0004404872.tif 000020
【図２０】
0004404872.tif 000021
【図２１】
0004404872.tif 000022
【図２２】
0004404872.tif 000023
【図２３】
0004404872.tif 000024
【図２４】
0004404872.tif 000025
【図２５】
0004404872.tif 000026
【図２６】
0004404872.tif 000027
【図２７】
0004404872.tif 000028
【図２８】
0004404872.tif 000029
【図２９】
0004404872.tif 000030
【図３０】
0004404872.tif 000031
【図３１】
0004404872.tif 000032
【図３２】
0004404872.tif 000033
【図３３】
0004404872.tif 000034
【図３４】
0004404872.tif 000035
【図３５】
0004404872.tif 000036
【図３６】
0004404872.tif 000037
【図３７】
0004404872.tif 000038
【図３８】
0004404872.tif 000039
【図３９】
0004404872.tif 000040
【図４０】
0004404872.tif 000041
【図４１】
0004404872.tif 000042
【図４２】
0004404872.tif 000043
【図４３】
0004404872.tif 000044
【図４４】
0004404872.tif 000045
【図４５】
0004404872.tif 000046